(57)【要約】【課題】  固定用バンドで手首を締め付けることで作業用手袋を手に固定できるが、固定用バンドで手首を締め付けて置かなければ固定用バンドが作業の邪魔となってしまう。そのため、固定する必要の無いときは、邪魔であっても手首を締め付けるか、邪魔を覚悟して作業をすることになっている。本発明は、固定用バンドで手首を締め付けずに作業を行っても、固定用バンドが作業の邪魔とならない作業用手袋を提供することを目的とする。【解決手段】  本発明の作業用手袋は、手首側端部から指方向に形成されたスリットが設けられ、上記スリットの両側に固定部が設けられた手首を覆う手首部材と、上記手首部材の上記スリットと上記スリットの一方側の固定部との間に取り付けられる取付部と、上記固定部に対して着脱可能な着脱手段を両面に設けた着脱部とを有する固定用バンドを備える。【選択図】  図１
2006104612.tif 000002
【特許請求の範囲】
【請求項１】
手首側端部から指方向に形成されたスリットが設けられ、上記スリットの両側に固定部が設けられた手首を覆う手首部材と、
上記手首部材の上記スリットと上記スリットの一方側の固定部との間に取り付けられる取付部と、上記固定部に対して着脱可能な着脱手段を両面に設けた着脱部とを有する固定用バンドを備えたことを特徴とする作業用手袋。
【請求項２】
上記着脱手段の表面積は、上記固定部の表面積より小さい請求項１に記載の作業用手袋。
【発明の詳細な説明】
【技術分野】
【０００１】
本発明は、手首を締め付ける固定用バンドを備えた作業用手袋に関する。
【背景技術】
【０００２】
図２に示すように、作業用手袋１は、掌や手の甲を覆う手袋本体２と、手首部分を覆う手首部材３とが逢着等で接合されて構成されている。上記手首部材３及び手袋本体２には、はめ易さや脱ぎ易さを考慮して、手首側端部から指方向にスリット４が形成されている。
【０００３】
スリット４が形成されていると作業用手袋１をはめたり脱いだりすることが容易になるが、作業用手袋１をはめたときに作業用手袋１を手にしっかりと固定できない。作業用手袋１を手にしっかりと固定できるように、従来の作業用手袋１には、図２に示すように、手首部材３のスリット４の一方側に固定用バンド５が取り付けられ、手首部材３のスリット４の他方側にはマジック式テープ（登録商標）６が逢着されている。
【０００４】
上記固定用バンド５は、一端側のみが手首部材３に逢着されて取り付けられており、反対側の他端側の一方の面にはマジック式テープ（登録商標）７が逢着されている。
【０００５】
作業用手袋１を手に固定するには、作業用手袋１に手を挿入した後に固定用バンド５のマジック式テープ（登録商標）７をマジック式テープ（登録商標）６と接合する。このように固定用バンド５がスリット４を跨いだ状態で固定用バンド５の他端がマジック式テープ（登録商標）６に固定されることで、固定用バンド５で手首を締め付けることができ、作業用手袋１を手にしっかりと固定することができる。
【発明の開示】
【発明が解決しようとする課題】
【０００６】
固定用バンド５で手首を締め付けることで作業用手袋１を手に固定できるが、軽微な作業時は固定しなくても作業に差支えが無く、また、夏場の作業時は、固定用バンド５で手首を締め付けると、作業用手袋１内に熱気がこもって不快感を覚える。
【０００７】
しかし、作業用手袋１を手に固定しなくても作業に差支えがない、或いは作業用手袋１内に熱気がこもるからといって、マジック式テープ（登録商標）７をマジック式テープ（登録商標）６に接合せずに作業をすると、固定用バンド５の他端側がどこにも固定されていない状態となるので、固定用ベルト５が作業の邪魔になったり、上着の袖口に固定用バンド５の他端が引っかかって袖口が傷ついたりすることがある。
【０００８】
そこで、本発明は、固定用バンドで手首を締め付けずに作業を行っても、固定用バンドが作業の邪魔とならない作業用手袋を提供することを目的とする。
【課題を解決するための手段】
【０００９】
本発明の作業用手袋は、固定用バンドが作業の邪魔にならないようにするために、手首部材に設けられたスリットの両側に固定部を設け、上記手首部材の上記スリットと上記スリットの一方側の固定部との間に固定用バンドを取り付け、この固定用バンドの両面に上記固定部に対して着脱可能な着脱手段を設けている。
【００１０】
上記固定部と上記着脱手段には、例えばマジック式テープ（登録商標）、ボタン、ホックなどの金具等を用いることができる。
【００１１】
本発明の作業用手袋を手に固定して作業をする場合は、固定用バンドのいずれか一方の面の着脱手段を上記スリットの他方側の固定部に接合させる。このように固定用バンドがスリットを跨いだ状態でマジック式テープ（登録商標）に固定されることで、固定用バンドで手首を締め付けることができ、作業用手袋を手に固定することができる。
【００１２】
一方、本発明の作業用手袋を手に固定せずに作業する場合は、固定用バンドのいずれか一方の面の着脱手段を上記スリットの一方側の固定部に固着させる。この場合、固定用バンドはスリットを跨いでいないので、固定用バンドにて手首が締め付けられることが無く、固定用バンドを固定部に固定することができる。
【発明の効果】
【００１３】
以上ように、本発明の作業用手袋は、固定用バンドで作業用手袋を手に固定したり、固定用バンドで手首を締め付けたりしなくても、固定用ベルトで作業が邪魔されることがない。
【発明を実施するための最良の形態】
【００１４】
図１（ａ）、（ｂ）に示すように、本発明の作業用手袋１００は、従来と同様に、掌や手の甲を覆う手袋本体１０２と、手首部分を覆う手首部材１０３とが逢着等で接合されて構成されている。上記手首部材１０３及び手袋本体１０２には、はめ易さや脱ぎ易さを考慮して、手首側端部から指方向にスリット１０４が形成されている。図１（ａ）、図１（ｂ）に示すように、手首部材１０３のスリット１０４の一方側となる掌側には、マジック式テープ（登録商標）１０６ａが、手首部材１０３のスリット１０４の他方側となる手の甲側にはマジック式テープ（登録商標）１０６ｂが逢着されている。
【００１５】
上記スリット１０４と上記スリット１０４の一方側のマジック式テープ（登録商標）１０６ａの間の上記手首部材１０３には、固定用バンド１０５の取付部１１５が逢着されて取り付けられている。上記手首部材１０３に逢着されていない上記固定用バンド１０５の着脱部１１６のスリット１０４側の面にはマジック式テープ（登録商標）１１６ｂが設けられ、反対側の面にはマジック式テープ（登録商標）１１６ａが設けられている。本実施の形態では、マジック式テープ（登録商標）１１６ａ、１１６ｂの表面積は、手首を曲げやすくするために、マジック式テープ（登録商標）１０６ａ、１０６ｂより小さくなっている。
【００１６】
作業用手袋１００を手に固定して作業をする場合は、作業用手袋１００に手を挿入し、マジック式テープ（登録商標）１１６ｂをマジック式テープ（登録商標）１０６ｂに接合する。このように固定用バンド１０５の取付部１１５が取り付けられた部分と、マジック式テープ（登録商標）１０６ｂが設けられた部分がスリット１０４を介して反対側となっているので、固定用バンド１０５がスリット１０４を跨いだ状態でマジック式テープ（登録商標）１０６ｂに固定されるために、固定用バンドで手首を締め付けることができ、作業用手袋を手に固定することができる。
【００１７】
作業用手袋１００を手に固定させずに作業をする場合は、マジック式テープ（登録商標）１１６ａをマジック式テープ（登録商標）１０６ａに接合させる。この場合、固定用バンド１０５は、スリット１０４を跨がずに、取付部１１５とマジック式テープ（登録商標）１１６ａにて固定されるので、固定用バンド１０５にて手首が締め付けられることがない。手首が締め付けなくても、固定用バンドがマジック式テープ（登録商標）１０６ａによって固定されているので、手首を締め付けずに快適に作業をすることができる。
【００１８】
固定部としてベラクロテーブル１０６ａ、１０６ｂを、着脱手段としてマジック式テープ（登録商標）１１６ａ、１１６ｂを用いている場合について説明したが、固定部及び着脱手段は互いに着脱自在であれば、ボタンやホック等をもちいても構わない。
【図面の簡単な説明】
【００１９】
【図１】本発明の作業用手袋の概略外観図。
【図２】従来の作業用手袋の概略外観図。
【符号の説明】
【００２０】
１００  作業用手袋
１０２  手袋本体
１０３  手首部材
１０４  スリット
１０５  固定用バンド
１０６ａ、１０６ｂ、１１６ａ、１１６ｂ  マジック式テープ（登録商標）
１１５  取付部
１１６  着脱部
【図１】
2006104612.tif 000003
【図２】
2006104612.tif 000004